(57)【特許請求の範囲】
【請求項１】
円板部（１１、７１）と、円板部（１１、７１）の周縁から軸方向一方に延びる環状の周側部（１２、７２）とを有する円形カップ状の金属製のボタン表面部材（１０、７０）を形成する方法であって、
金属板（１、２）から、前記ボタン表面部材（１０、７０）の円板部（１１、７１）及び周側部（１２、７２）に対応する円板領域（１１’、１１”、７１’）及び周側領域（１２’、１２”、７２’）を有する隆起部（１０’、１０”、７０’）を絞り出す工程と、
前記隆起部（１０’、１０”、７０’）を金属板（１、２）から切り離す工程と、
前記切り離す工程の前又は後に、前記隆起部（１０’、１０”、７０’）の周側領域（１２’、１２”、７２’）に刻印する工程とを含み、
前記刻印する工程において、外側ダイ（３０、８０）が半径方向内側に移動し、外側ダイ（３０、８０）の半径方向内側を向く端面（３１、８１）をボタン表面部材（１０、７０）の周側領域（１２’、１２”、７２’）の外周面（１２’ａ、７２’ａ）に押し付け、また、内側ダイ（４０、９０）が半径方向外側に移動し、内側ダイ（４０、９０）の外周面（４１、９１）をボタン表面部材（１０、７０）の周側領域（１２’、１２”、７２’）の内周面（１２’ｂ、７２’ｂ）に押し付け、
前記刻印する工程の後、外側ダイ（３０、８０）及び内側ダイ（４０、９０）は周側領域（１２’、１２”、７２’）から離れるボタン表面部材形成方法。
【請求項２】
前記刻印する工程は、前記隆起部の周側領域（１２’、１２”、７２’）に対し半径方向外側から、刻印に対応する形状の凸部（３２、３２’、３２”、９２）又は凹部（４２、４２’、４２”、８２）を前記半径方向内側を向く端面（３１、８１）に有する外側ダイ（３０、８０）を、半径方向内側から前記凸部（３２、３２’、３２”、９２）又は凹部（４２、４２’、４２”、８２）に合致する形状の凹部（４２、４２’、４２”、８２）又は凸部（３２、３２’、３２”、９２）を前記外周面（４１、９１）に有する内側ダイ（４０、９０）をそれぞれ適用して行われる請求項１のボタン表面部材形成方法。
【発明の詳細な説明】
【技術分野】
【０００１】
本発明は、ボタン表面部材、ボタン表面部材形成方法、及びボタンに関し、更に詳しくは、ボタンの頭部等に付加される浅い円形カップ状の金属製のボタン表面部材と、このようなボタン表面部材を形成する方法と、このようなボタン表面部材が付加されたボタンに関する。
【背景技術】
【０００２】
ボタンやボタン止具として、本体と、本体の頭部等に装飾、補強等のために取り付けられる浅い円形カップ状のボタン表面部材とを備えたものが知られている。ボタン表面部材は、金属板を絞り加工等して形成され、円板部と、円板部の周縁から軸方向一方に延びる周側部とを有する浅い円形カップ状のものである。ボタン表面部材において、円板部の表面には従来から種々の装飾デザイン等が刻印、印刷等されているが、近年、周側部に対し独立に又は円板部の装飾等と整合するように文字、記号、図形、模様等を付与することが要請されている。ボタン表面部材の周側部に文字、模様等を与える方法として、特開２００８−２９５８４６号公報には、まず、平坦な金属板の円環領域に所定の文字、模様等を刻印した後、円環領域とその内側部分からなる円板を金属板から打ち抜き、次いで、円板の円環領域が周側部に、その内側部分が円板部になるように押し出し及び深絞りしてボタン表面部材を得るものが開示されている。【０００３】
しかしながら、上記特許文献が開示する方法では、金属板上の平坦な円環領域に文字、模様等を刻印し、打ち抜いた後、円環領域をその内側部分（円板部）に対し垂直になるように絞り加工するため、円環領域（周側部）の文字、模様等が歪むという問題があった。また、円環領域に対する刻印が深いと、後の押し出し及び深絞り時に刻印が潰れたり、損なわれるおそれがあるため、周側部に深い鮮明な文字等を付与できないとう問題もあった。
【先行技術文献】
【特許文献】
【０００４】
【特許文献１】特開２００８−２９５８４６号公報
【発明の概要】
【発明が解決しようとする課題】
【０００５】
本発明は、上記のような問題点に着目してなされたものであり、その目的は、周側部の刻印が歪むことなく鮮明なボタン表面部材、このようなボタン表面部材の形成方法、及びこのようなボタン表面部材を備えたボタンを提供することにある。
【課題を解決するための手段】
【０００６】
上記課題を解決するため、本発明によれば、円板部と、円板部の周縁から軸方向（円板部の軸線に沿う方向をいう）一方に延びる環状の周側部とを有する円形カップ状の金属製のボタン表面部材を形成する方法であって、金属板から、前記ボタン表面部材の円板部及び周側部に対応する円板領域及び周側領域を有する隆起部を絞り出す工程と、前記隆起部を金属板から切り離す工程と、前記切り離す工程の前又は後に、前記隆起部の周側領域に刻印する工程とを含むボタン表面部材形成方法が提供される。【０００７】
本発明では、まず、金属板からボタン表面部材に対応する円形カップ状の隆起部を絞り加工し、次いで、隆起部の周側領域に刻印した後に隆起部を金属板から分離するか、又は、隆起部を金属板から分離した後に隆起部の周側領域に刻印する。円板領域に対し起立した状態の周側領域に文字、模様等を刻印し、この円板領域に対する周側領域の起立状態をそのまま保って、周側部に刻印されたボタン表面部材が得られるため、文字、模様等が歪むことはない。【０００８】
金属板の材質としては、アルミニウム合金、銅合金等を好ましく挙げることができるが、これに限定されるものではない。【０００９】
隆起部の周側領域に対する刻印としては、装飾用、管理用等の文字、記号、図形、模様、これらの任意の組合せ等を挙げることができる。【００１０】
本発明では、前記刻印する工程は、前記隆起部の周側領域に対し半径方向外側から、刻印に対応する形状の凸部又は凹部を有する外側ダイを、半径方向内側から前記凸部又は凹部に合致する形状の凹部又は凸部を有する内側ダイをそれぞれ適用して行われ得る。このように、隆起部の周側領域に対し、半径方向外側から外側ダイの凸部又は凹部を、半径内側から内側ダイの凹部又は凸部を適用することにより、隆起部の周側領域すなわちボタン表面部材の周側部に鮮明な刻印を与えることができる。【００１１】
別の本発明によれば、円板部と、円板部の周縁から軸方向一方に延びる環状の周側部とを有する円形カップ状の金属製のボタン表面部材であって、前記周側部は刻印を有し、該刻印は周側部の外周面及び内周面の一方から窪む窪みと、他方から突出する突部とを含むボタン表面部材が提供される。本発明では、ボタン表面部材の周側部における刻印を窪みと突部から鮮明なものとすることができる。【００１２】
本発明では、前記周側部は、円板部の周縁から径が軸方向一方へと次第に拡大する傾斜部と、傾斜部の円板部とは反対側の端から軸線と平行に延びる垂直部とを含むことができる。この場合、刻印は傾斜部及び垂直部に及ぶように設けることができる。【００１３】
更に別の本発明によれば、ボタン本体と、ボタン本体に付加された円形カップ状の金属製のボタン表面部材とを備えるボタンであって、前記ボタン表面部材は、円板部と、円板部の周縁から軸方向一方に延びる環状の周側部とを有し、前記周側部は刻印を有し、該刻印は周側部の外周面及び内周面の一方から窪む窪みと、他方から突出する突部とを含むボタンが提供される。本発明では、ボタン本体に付加されるボタン表面部材の周側部における刻印を窪みと突部から鮮明なものとすることができる。
【発明の効果】
【００１４】
本発明に係るボタン表面部材形成方法では、金属板を絞り加工して円形カップ状の隆起部を形成した後、隆起部の周側領域に刻印し、これがそのままボタン表面部材の周側部となるため、ボタン表面部材の周側部の刻印が歪むことなく、また、鮮明な刻印を与えることができる。【００１５】
本発明に係るボタン表面部材では、周側部の刻印が窪みと突部から成るため、刻印が鮮明なものとなる。【００１６】
本発明に係るボタンでは、ボタン本体に付加されるボタン表面部材の周側部の刻印が窪みと突部から成るため、刻印が鮮明なものとなる。
【図面の簡単な説明】
【００１７】
【図１】図１は、本発明の一実施形態に係るボタン表面部材を金属板から切り離した状態を示す斜視説明図である。
【図２】図２は、絞り加工直前の金属板とパンチの配置状態を概略的に示す斜視説明図である。
【図３】図３は、パンチで金属板を円形浅カップ状に絞り出した状態を示す縦断面説明図である。
【図４】図４は、隆起部の周側領域に対する外側ダイパンチと内側ダイの配置状態を概略的に示す斜視説明図である。
【図５】図５は、外側ダイパンチの凸部を拡大して示す破断斜視説明図である。
【図６】図６は、内側ダイの凹部を拡大して示す破断斜視説明図である。
【図７】図７は、隆起部の周側領域に対する刻印直前の状態を示す縦断面説明図である。
【図８】図８は、隆起部の周側領域に対する刻印時の状態を拡大して示す縦断面説明図である。
【図９】図９は、図８の状態の水平断面説明図である。
【図１０】図１０は、刻印後に隆起部の周側領域から外側ダイパンチ及び内側ダイを離した状態を示す縦断面説明図である。
【図１１】図１１は、周側領域に刻印された隆起部を示す斜視説明図である。
【図１２】図１２は、金属板から隆起部を切り離す直前の状態を示す縦断面説明図である。
【図１３】図１３は、金属板から隆起部を切り離した直後の状態を示す縦断面説明図である。
【図１４】図１４は、刻印工程前に金属板から切り離した隆起部を示す斜視説明図である。
【図１５】図１５は、先に金属板から切り離した隆起部の周側領域に刻印する直前の状態を示す縦断面説明図である。
【図１６】図１６は、本発明の別の実施形態に係るボタン表面部材となる隆起部を示す縦断面説明図である。
【図１７】図１７は、図１６の隆起部の周側領域に対する刻印直前の状態を示す縦断面説明図である。
【図１８】図１８は、図１６の隆起部の周側領域に対する刻印時の状態を示す縦断面説明図である。
【図１９】図１９は、図１６の隆起部の周側領域に対する刻印後に外側ダイパンチ及び内側ダイを離した状態を示す縦断面説明図である。
【図２０】図２０は、外側ダイパンチの凸部の別の例を示す拡大斜視説明図である。
【図２１】図２１は、内側ダイの凹部の別の例を示す拡大斜視説明図である。
【図２２】図２２は、外側ダイパンチの凸部の更に別の例を示す拡大斜視説明図である。
【図２３】図２３は、内側ダイの凹部の更に別の例を示す拡大斜視説明図である。
【図２４】図２４は、本発明に係るボタンの一実施形態として、図１等のボタン表面部材を付加したボタンを概略的に示す縦断面説明図である。
【図２５】図２５は、本発明に係るボタンの別の実施形態として、図１等のボタン表面部材を付加した別のボタンを概略的に示す縦断面説明図である。
【図２６】図２６は、本発明に係るボタンの更に別の実施形態として、図１６等の隆起部から形成したボタン表面部材を付加したボタンを概略的に示す縦断面説明図である。
【発明を実施するための形態】
【００１８】
以下、本発明の好適な実施形態を図面を参照しつつ説明する。また、図１、４、７、８、１０、１１、１４、１５、１６〜１９等について、説明の便宜のため、実際の加工時とは上下を逆に表している。図１は、本発明の一実施形態に係るボタン表面部材（以下単に「表面部材」ともいう）１０と、表面部材１０が切り離された状態の金属板１とを略示する斜視説明図である。表面部材１０は金属板１から形成され、ボタン１００、１２０（図２４及び２５参照）の頭部等に装飾、補強等のために付加される。表面部材１０の縦断面は図１３等に示される。表面部材１０は、円板部１１と、円板部１１の周縁から円板部１１に対しほぼ垂直に軸方向（円板部１１の軸線に沿う方向をいう）下方（上下は図１３に基づくが、相対的なものである）に延びる周側部１２とを有する。周側部１２の円板部１１からの軸方向における長さ（高さ）は円板部１１の直径の数分の１程度であり、そのため、表面部材１０は浅い円形カップ状の形態を呈する。表面部材１０の周側部１２には、装飾や管理のための文字、記号、図形、模様、これらの組合せ等の刻印１３が付与されるが、本実施形態では刻印１３を説明の便宜のために文字「Ａ」で表す。以下、文字Ａに対し刻印１３と同じ参照番号１３を用いる場合もある。文字Ａ１３は、周側部１２に周方向９０度間隔で四つ設けられている。図示はしないが、表面部材１０の円板部１１にも任意の装飾デザイン等が形成され得る。
【００１９】
次に、本発明の一実施形態に係るボタン表面部材形成方法として、金属板１からボタン表面部材１０を得る工程について説明する。まず、図２及び３に示すように、未加工の金属板１に円柱状のパンチ２０を押し付け、金属板１から下方に隆起する浅い円形カップ状の隆起部１０’を絞り出す。隆起部１０’は、表面部材１０の円板部１１及び周側部１２にそれぞれ対応する円板領域１１’及び周側領域１２’を有する。隆起部１０’が金属板１の下面（図３において上方の金属板１の表面）から隆起する高さは、表面部材１０の高さ（軸方向長さ）と同じであり、また、隆起部１０’の内径は表面部材１０の内径と同じである。
【００２０】
次に、隆起部１０’の周側領域１２’に文字Ａ１３を刻印する。図４は、隆起部１０’の周側領域１２’に隆起部１０’の半径方向外側から押し付ける外側ダイパンチ（以下単に「外側ダイ」ともいう）３０と、周側領域１２’の半径方向内側で外側ダイ３０を受け止める内側ダイ４０とを略示する斜視説明図である。外側ダイ３０は、周側領域１２’に対し周方向９０度間隔で四つ配置され、半径方向内側を向く端面であるプレス面３１の周方向中央に、図５に拡大して示すＡ字形の凸部３２を有する。プレス面３１は、周側領域１２’の外周の１／４に対応する周方向長さを有する（図９参照）と共に、周側領域１２’の外周面１２’ａ（図７等参照）に合致する曲率半径を有する。内側ダイ４０は、円筒体を周方向９０度間隔で四分割したような形状を有し、内側ダイ４０の外周面である受け面４１の上部周方向中央に、図６に拡大して示すＡ字形の凹部４２を有する。内側ダイ４０の凹部４２は外側ダイ３０の凸部３２と実質的に合致する。内側ダイ４０の受け面４１は、隆起部１０’の周側領域１２’の内周面１２’ｂ（図７等参照）に合致する曲率半径を有し、また、受け面４１の周方向長さは周側領域１２’の外周の１／４よりも若干短い（図９参照）。
【００２１】
隆起部１０’の周側領域１２’に刻印するに当たり、内側ダイ４０は、図７に示すように、その上面が隆起部１０’の円板領域１１’の裏面に接すると共に、各外側ダイ３０と半径方向において整合するように配置される（実際は図７とは上下逆になる）。図７の状態から外側ダイ３０を半径方向内側に、内側ダイ４０を半径方向外側に移動させ、前者のプレス面４１を隆起部１０’の周側領域１２’の外周面１２’ａに押し付けると共に、周側領域１２’の内周面１２’ｂを内側ダイ４０の受け面４１で受け止める。これにより、図８及び９に示すように、外側ダイ３０の凸部３２が周側領域１２’の外周面１２’ａをＡ字形に半径方向内側に窪ませ（窪み１３ａ）、これに伴って周側領域１２’の内周面１２’ｂが半径方向内側にＡ字形に突出し（突部１３ｂ）、この突部１３ｂを内側ダイ４０の凹部４２で受ける。このように、隆起部１０’の周側領域１２’に対し凸部３２を有する外側ダイ３０と凹部４２を有する内側ダイ４０を用いることにより、窪み１３ａ及び突部１３ｂから成る文字Ａ１３を鮮明に刻印することができる。図１０は、刻印後に周側領域１２’から外側ダイ３０と内側ダイ４０を離した状態を示す。図１１は、周側領域１２’に文字Ａ１３が刻印された隆起部１０’を示す。
【００２２】
次に、金属板１から隆起部１０’を切り離す。この際、図１２に示すように、隆起部１０’の外径に合致する内径を有する円筒状の支持ダイ５０を用い、隆起部１０’を支持ダイ５０の中空部５２に入れ、隆起部１０’周囲の金属板１を支持ダイ５０の上面５１で支持する。このように支持ダイ５０に支持された状態の隆起部１０’に対し、隆起部１０’の外径と同じ直径の円柱状のパンチ６０を隆起部１０’と同心状にて降下させることにより、図１３に示すように金属板１から隆起部１０’をせん断分離させる。これにより、図１に示すボタン表面部材１０が得られる。
【００２３】
以上の説明では、隆起部１０’の周側領域１２’に刻印１３（図１等の刻印１３と同じであるため同じ参照番号を付す）を形成した後に隆起部１０’を金属板１から切り離す例を挙げたが、図１４に示すように先に金属板１（図１等の金属板１と同じであるため同じ参照番号を付す）から隆起部１０”を分離した後、図１５に示すように隆起部１０”の周側領域１２”に上述した外側ダイパンチ３０及び内側ダイ４０を用いて刻印することもできる。なお、参照番号１１”は隆起部１０”の円板領域を表す。
【００２４】
ボタン表面部材１０の周側部１２（周側領域１２’）は径がほぼ一定であるが、周側部の径は一定でなくてもよく、その例を次に述べる。図１６は、本発明の別の実施形態に係るボタン表面部材７０（図２６参照）となる隆起部７０’を金属板２から絞り出した状態を示す縦断面図である。隆起部７０’は、円板領域７１’と、円板領域７１’の周縁から軸方向下方に延びる周側領域７２’とを有する。周側領域７２’は、上半において径が下方へと次第に拡大する傾斜部７２’Ａと、傾斜部７２’Ａの下端から金属板２へと軸線にほぼ平行に延びる下半の垂直部７２’Ｂとを含む。隆起部７０’は、隆起部７０’に合致する形状の先端部を有するパンチ（図示せず）によって金属板２から形成される。隆起部７０’の周側領域７２’に対する刻印工程は、既述した隆起部１０’の周側領域１２’に対するものと基本的には同じであるが、次の点が異なる。すなわち、外側ダイパンチ８０の半径方向内側を向く端面が凹部８２を有する受け面８１となり、内側ダイ９０の外周面が凸部９２を有するプレス面９１となる点と、外側ダイ８０の受け面８１及び凹部８２並びに内側ダイ９０のプレス面９１及び凸部９２が周側領域７２’の傾斜部７２’Ａ及び垂直部７２’Ｂに対応するように形成される点である。
【００２５】
図１７は、隆起部７０’の周側領域７２’に対し外側ダイ８０及び内側ダイ９０で刻印する直前の状態を示す。外側ダイ８０の受け面８１は、周側領域７２’の傾斜部７２’Ａ及び垂直部７２’Ｂに合致する傾斜面８１Ａ及び垂直面８１Ｂを有し、これら傾斜面８１Ａ及び垂直面８１Ｂにわたって凹部８２が設けられている。内側ダイ９０も周側領域７２’の傾斜部７２’Ａ及び垂直部７２’Ｂに合致する傾斜面９１Ａ及び垂直面９１Ｂを有し、これら傾斜面９１Ａ及び垂直面９１Ｂにわたって凸部９２が設けられる。図１８は、外側ダイ８０の凹部８２と内側ダイ９０の凸部９２によって周側領域７２’に刻印７３が形成されたの状態を示す。刻印７３は周側領域７２’の外周面７２’ａから半径方向外側に突出する突部７３ａと、内周面７２’ｂから半径方向外側に窪む窪み７３ｂとから成る。図１９は、刻印後に周側領域７２’から外側ダイ８０及び内側ダイ９０を離した状態を示す。その後、金属板２から隆起部７０’を切り離すことにより、ボタン表面部材７０（図２６参照）が得られる。なお、先に金属板２から隆起部７０’を分離した後に隆起部７０’に刻印してもよい。
【００２６】
図２０〜２３は、外側ダイ（又は内側ダイ）及び内側ダイ（又は外側ダイ）に設ける凸部及び凹部の他の例であり、図２０及び２１では数字「１２」形の凸部３２’及び凹部４２’が例示され、図２２及び２３ではハートマーク形の凸部３２”及び凹部４２”が例示される。なお、刻印の形態はこれらに限定されるものではない。
【００２７】
図２４は、本発明に係るボタンの一実施形態として、上述したボタン表面部材１０が付加されるボタンを略示する縦断面図である。ボタン１００は、ボタンホール（図示せず）に出し入れするタイプのもので、略円筒状の樹脂製のボタン本体１０１を備える。ボタン本体１０１は、軸線に沿って貫通する中心孔１０２を有し、また、下方の胴部１０１ａと、胴部１０１ａの上端から外径が段状に拡大する頭部１０１ｂとに区分される。ボタン表面部材１０は、ボタン本体１０１の頭部１０１ｂに対しその表面（上面）及び周側面を覆うように加締め付けられ、ボタン１００の頭部１０１ｂを装飾しつつ表面側から中心孔１０２が見えないようにする。参照番号１１０は、ボタン１００を生地ｔに固定するための止具である。止具１１０は、円板状のベース部１１１と、ベース部１１１からベース部１１１と同心状に突出するポスト部１１２とを有し、生地ｔを貫通したポスト部１１２がボタン本体１０１の中心孔１０２に係合することにより、ボタン１００が生地ｔに固定される。
【００２８】
図２５は、本発明に係るボタンの別の実施形態として、ボタン表面部材１０が付加される別のボタンを略示する縦断面図である。ボタン１２０は、ボタンホール（図示せず）に出し入れするタイプのもので、略円柱状のボタン本体１２１を備える。ボタン本体１２１は、金属板を絞り加工して成りかつ上方に開放する外殻部材１２２と、外殻部材１２２の内部に収容される金属製の芯材１２３とから成り、また、下方の胴部１２１ａと、胴部１２１ａの上端から外径が段状に拡大する頭部１２１ｂとに区分される。頭部１２１ｂの外径は上方へと次第に拡大し、従って、頭部１２１ｂの周側面は上方に拡径するように傾斜する。ボタン表面部材１０は、ボタン本体１２１の頭部１２１ｂに対しその表面（上面）及び周側面を覆うように加締め付けられ、ボタン１２０の頭部１２１ｂを装飾及び補強しつつ外殻部材１２２の上方開放部を塞ぐ。なお、ボタン表面部材１０の周側部１２は、ボタン本体１２１の傾斜する周側面に沿って下方に縮径するように加締められる。参照番号１３０は、ボタン１２０を生地ｔ’に固定するための止具である。止具１３０は、円板状のベース部１３１と、ベース部１３１から突出する二本の突出部１３２とを有する。他方、ボタン１２０の外殻部材１２２の底面１２４と芯材１２３の底部との間には、生地ｔ’を貫通し、次いで底面１２４を突き抜けた止具１３０の突出部１３２を受け入れる空隙がある。参照番号１２５は、突出部１３２が外殻部材１２２の底面１２４を突き抜けることにより形成される二つの孔１２５である。
芯材１２３の底部には、上記空隙に受け入れた突出部１３２をそれぞれ湾曲状に変形させるための凹状の湾曲面１２６が設けられている。このように止具１３０の突出部１３２を外殻部材１２２内で変形させることにより、ボタン１２０が生地ｔ’に固定される。
【００２９】
図２６は、本発明に係る更に別の実施形態として、上述した隆起部７０’から形成したボタン表面部材７０が付加されるボタンを略示する縦断面図である。なお、参照番号７１はボタン表面部材の円板部、７２は周側部を表す。ボタン１４０は、ボタンホール（図示せず）に出し入れするタイプのもので、略円筒状の樹脂製のボタン本体１４１を備える。ボタン本体１４１は、軸線に沿って貫通する中心孔１４２を有し、また、下方の胴部１４１ａと、胴部１４１ａの上端から外径が段状に拡大する頭部１４１ｂとに区分される。ボタン表面部材７０は、ボタン本体１４１の頭部１４１ｂに対しその表面（上面）及び周側面を覆うように加締め付けられ、ボタン１４０の頭部１４１ｂを装飾しつつ表面側から中心孔１４２が見えないようにする。参照番号１５０は、ボタン１４０を生地ｔ”に固定するための止具である。止具１５０は、円板状のベース部１５１と、ベース部１５１からベース部１５１と同心状に突出するポスト部１５２とを有し、生地ｔ”を貫通したポスト部１５２がボタン本体１４１の中心孔１４２に係合することにより、ボタン１４０が生地ｔ”に固定される。
【符号の説明】
【００３０】
１、２  金属板
１０、７０  ボタン表面部材
１０’、１０”、７０’  隆起部
１１、７１  円板部
１１’、１１”、７１’  円板領域
１２、７２  周側部
１２’、１２”、７２’  周側領域
１３、７３  刻印
１３ａ、７３ｂ  窪み
１３ｂ、７３ａ  突部
３０、８０  外側ダイパンチ
３２、３２’、３２”、９２  凸部
４０、９０  内側ダイ
４２、４２’、４２”、８２  凹部
１００、１２０、１４０  ボタン
１０１、１２１、１４１  ボタン本体
【図１】
0005525037.tif 000002
【図２】
0005525037.tif 000003
【図３】
0005525037.tif 000004
【図４】
0005525037.tif 000005
【図５】
0005525037.tif 000006
【図６】
0005525037.tif 000007
【図７】
0005525037.tif 000008
【図８】
0005525037.tif 000009
【図９】
0005525037.tif 000010
【図１０】
0005525037.tif 000011
【図１１】
0005525037.tif 000012
【図１２】
0005525037.tif 000013
【図１３】
0005525037.tif 000014
【図１４】
0005525037.tif 000015
【図１５】
0005525037.tif 000016
【図１６】
0005525037.tif 000017
【図１７】
0005525037.tif 000018
【図１８】
0005525037.tif 000019
【図１９】
0005525037.tif 000020
【図２０】
0005525037.tif 000021
【図２１】
0005525037.tif 000022
【図２２】
0005525037.tif 000023
【図２３】
0005525037.tif 000024
【図２４】
0005525037.tif 000025
【図２５】
0005525037.tif 000026
【図２６】
0005525037.tif 000027